(57)【要約】【課題】誤操作防止機能の解除条件を簡易に設定又は変更し得る無線機を提供する。【解決手段】緊急呼び出し情報を無線送信するエマージェンシー機能を備え、かつ、エマージェンシー機能の誤稼動を防止する誤操作防止機能を備える無線機１００において、誤操作防止機能を解除する複数の解除条件が定められたテーブルＴを記憶する記憶部４と、テーブルＴに定められた複数の解除条件のうち１の解除条件を選択し、選択した解除条件に従って、誤操作防止機能を解除するとともにエマージェンシー機能を稼動させる制御部３と、を備える無線機１００とする。【選択図】図１
2009147507.tif 000002
【特許請求の範囲】
【請求項１】
緊急呼び出し情報を無線送信するエマージェンシー機能を備え、かつ、当該エマージェンシー機能の誤稼動を防止する誤操作防止機能を備える無線機において、
前記誤操作防止機能を解除する複数の解除条件が定められたテーブルを記憶する記憶手段と、
前記テーブルに定められた複数の解除条件のうち１の解除条件を選択し、選択した解除条件に従って前記誤操作防止機能を解除するとともに前記エマージェンシー機能を稼動させる制御手段と、
を備える無線機。
【請求項２】
前記エマージェンシー機能を稼動させるためのエマージェンシースイッチを有し、
前記テーブルに定められた解除条件は、前記エマージェンシースイッチの投入継続時間について定めたものである請求項１に記載の無線機。
【請求項３】
前記解除条件を選択するための解除条件選択スイッチを有し、
前記制御手段は前記解除条件選択スイッチにより出力された操作信号に基づいて前記１の解除条件を選択する請求項１又は２に記載の無線機。
【請求項４】
現在地情報を取得する現在地情報取得手段を備え、
前記記憶手段は、前記解除条件と対応付けたエリア情報を記憶し、
前記制御手段は、前記取得された現在地情報及び前記エリア情報に基づいて前記１の解除条件を選択する請求項１〜３の何れか一項に記載の無線機。
【請求項５】
外部から遠隔操作信号を受信する無線通信手段を備え、
前記制御手段は、前記無線通信手段により受信した遠隔操作信号に基づいて前記１の解除条件を選択する請求項１〜４の何れか一項に記載の無線機。
【請求項６】
前記制御手段は、前記遠隔操作信号に基づいて、前記解除条件選択スイッチによる前記解除条件の選択を禁止又は許可する請求項５に記載の無線機。
【請求項７】
前記制御手段は、前記遠隔操作信号に基づいて、前記現在地情報取得手段により取得された現在地情報及び前記エリア情報に基づく前記解除条件の選択を禁止又は許可する請求項５又は６に記載の無線機。
【発明の詳細な説明】
【技術分野】
【０００１】
本発明は、無線機に関する。
【背景技術】
【０００２】
業務用無線機は、現在様々な場面において広く用いられている。一般的な使用場面としては、例えばタクシーや警備、イベント設営、建設現場等が挙げられる。
【０００３】
こうした業務用無線機には、緊急事態が発生した場合、周囲や基地局にその旨を通知するエマージェンシー機能を備えたものがある。
【０００４】
特許文献１によれば、エマージェンシー機能による緊急事態の通知態様や通知先を簡易な操作で切り替え可能な無線機が開示されている。これにより、無線機の運用や用途に応じてエマージェンシー機能を利用することができる。
【特許文献１】特開２００４−２７４１３０号公報
【発明の開示】
【発明が解決しようとする課題】
【０００５】
ところで、上述の業務用無線機にはエマージェンシー機能とともに、誤操作防止機能を備えるものがある。誤操作防止機能は、ユーザが誤ってエマージェンシー機能を稼動させるためのスイッチ（以下、「エマージェンシースイッチ」という）を押下した場合であっても、すぐにエマージェンシー機能を稼動させないための機能である。
【０００６】
図１０を参照して、誤操作防止機能について説明する。
上段は、エマージェンシースイッチのＯＮ／ＯＦＦ及び投入継続時間、つまり押下継続時間について示している。また、下段は、エマージェンシー機能のＯＮ／ＯＦＦについて示す。なお、図１０では、誤操作防止機能の解除条件が３秒に設定されている例を示す。
【０００７】
誤操作防止機能は、エマージェンシースイッチの投入継続時間が一定時間以下（３秒以下）の場合に稼動して、エマージェンシー機能を稼動させない（ケース１）。
一方、投入継続時間が一定時間以上（３秒以上）の場合に解除され、その結果エマージェンシー機能が稼動する（ケース２）。
【０００８】
誤操作防止機能の解除条件は、外部機器により設定し、又は変更することが可能である。例えば、外部機器によって、解除条件を３秒に設定したり、又は３秒から５秒に変更したりすることができる。なお、外部機器は汎用ＰＣ（Personal Computer）であり、通常現場以外の場所、例えば基地局等に置かれて管理される。
【０００９】
従って、従来までの誤操作防止機能であれば、無線機のユーザは解除条件を任意に設定し、又は変更することはできない。このため、事件や事故が多発する現場で無線機を使用するような場合、現場に出向く前に解除条件を外部機器により予め変更しておく手間が必要となる。こうした手間により、作業効率は低下してしまう。
【００１０】
また、１秒を争う緊急事態に遭遇した場合でも、ユーザは予め定められた解除条件に従って、誤操作防止機能を解除するために一定時間エマージェンシースイッチを押下し続ける必要がある。このため、被害が拡大してしまうおそれがある。
【００１１】
本発明の目的は、誤操作防止機能の解除条件を簡易に設定又は変更し得る無線機を提供することである。
【課題を解決するための手段】
【００１２】
請求項１に記載の発明によれば、
緊急呼び出し情報を無線送信するエマージェンシー機能を備え、かつ、当該エマージェンシー機能の誤稼動を防止する誤操作防止機能を備える無線機において、
前記誤操作防止機能を解除する複数の解除条件が定められたテーブルを記憶する記憶手段と、
前記テーブルに定められた複数の解除条件のうち１の解除条件を選択し、選択した解除条件に従って前記誤操作防止機能を解除するとともに前記エマージェンシー機能を稼動させる制御手段と、
を備える無線機が提供される。
【００１３】
請求項２に記載の発明によれば、請求項１に記載の発明において、
前記エマージェンシー機能を稼動させるためのエマージェンシースイッチを有し、
前記テーブルに定められた解除条件は、前記エマージェンシースイッチの投入継続時間について定めたものである無線機が提供される。
【００１４】
請求項３に記載の発明によれば、請求項１又は２に記載の発明において、
前記解除条件を選択するための解除条件選択スイッチを有し、
前記制御手段は前記解除条件選択スイッチにより出力された操作信号に基づいて前記１の解除条件を選択する無線機が提供される。
【００１５】
請求項４に記載の発明によれば、請求項１〜３の何れか一項に記載の発明において、
現在地情報を取得する現在地情報取得手段を備え、
前記記憶手段は、前記解除条件と対応付けたエリア情報を記憶し、
前記制御手段は、前記取得された現在地情報及び前記エリア情報に基づいて前記１の解除条件を選択する無線機が提供される。
【００１６】
請求項５に記載の発明によれば、請求項１〜４の何れか一項に記載の発明において、
外部から遠隔操作信号を受信する無線通信手段を備え、
前記制御手段は、前記無線通信手段により受信した遠隔操作信号に基づいて前記１の解除条件を選択する無線機が提供される。
【００１７】
請求項６に記載の発明によれば、請求項５に記載の発明において、
前記制御手段は、前記遠隔操作信号に基づいて、前記解除条件選択スイッチによる前記解除条件の選択を禁止又は許可する無線機が提供される。
【００１８】
請求項７に記載の発明によれば、請求項５又は６に記載の発明において、
前記制御手段は、前記遠隔操作信号に基づいて、前記現在地情報取得手段により取得された現在地情報及び前記エリア情報に基づく前記解除条件の選択を禁止又は許可する無線機が提供される。
【発明の効果】
【００１９】
本発明によれば、誤操作防止機能の解除条件を無線機側で簡易に設定又は変更することができる。外部機器により予め解除条件を設定又は変更する手間を必要としないため、作業効率の向上を図ることができる。また、１秒を争う緊急事態に遭遇するおそれのある場所に出向く際には、随時設定の変更が可能であり、緊急事態の際には即座にエマージェンシー機能を稼動させ得る。よって、被害を最小限に抑えることができる。
【発明を実施するための最良の形態】
【００２０】
以下、本実施形態における無線機の最適な構成及び動作について、図面を用いて詳細に説明する。
【００２１】
まず、図１を参照して、無線機１００の機能構成について説明する。
無線機１００は、ＧＰＳレシーバ１、ＧＰＳ部２、制御部３、記憶部４、Ｉ／Ｆ部５、音声変換部６、音声処理部７、マイク８、スピーカ９、操作部１０、表示部１１、無線通信部１２を備えて構成される。
【００２２】
ＧＰＳレシーバ１は、アンテナＡＮＴ１を介してＧＰＳ衛星からＧＰＳ情報を受信する。そして、受信したＧＰＳ情報をＧＰＳ部２に出力する。
【００２３】
ＧＰＳ部２は、ＧＰＳレシーバ１から出力されたＧＰＳ情報を現在地情報として制御部３に出力する。現在地情報は、無線機１００の現在地を示す経度及び緯度の情報であり、ＧＰＳ情報が発信された時刻の情報も含む。
【００２４】
制御部３は、ＣＰＵ（Central Processing Unit）等から構成されており、プログラムとの協働により各種演算を行って、各部の動作を集中制御する。
【００２５】
また、制御部３は、操作部１０から出力される操作信号に応じて各種処理を実行する。例えば、制御部３は、操作部１０からエマージェンシー機能の稼動を命令する操作信号を受信すると、スピーカ９により周囲に警報音を音声出力し、又は無線通信部１２により緊急事態の発生の通知を基地局Ｂに送信する。
【００２６】
記憶部４は、システムプログラムや各種プログラム、又はこれらプログラムの実行に用いるパラメータ等を記憶する。
【００２７】
また、記憶部４は、解除条件テーブルＴ及びエリア情報Ａを記憶する。
解除条件テーブルＴには、誤操作防止機能の解除条件が定められている。また、エリア情報Ａは、ユーザが任意に定めた地点や範囲等の情報である。これら解除条件テーブルＴ及びエリア情報Ａは、外部機器からＩ／Ｆ部５を介して設定される。
以下、解除条件テーブルＴ及びエリア情報Ａについて、図２、図３を参照して説明する。
【００２８】
図２に、解除条件テーブルＴを示す。
解除条件テーブルＴには、設定１〜設定Ｎまで、複数の誤操作防止機能の解除条件が定められている。解除条件は、例えば設定１では平穏時、設定２では警戒時、設定３では緊急時等、それぞれ異なる。ユーザは、無線機１００の用いる場面に応じて任意に選択することができる。
【００２９】
具体的には、無線機１００を設定１で用いる場合、ユーザはエマージェンシースイッチを５秒以上押下することで誤操作防止機能を解除することができる。
同様に、設定２で用いる場合は３秒以上、設定３で用いる場合は１秒以上、ユーザはエマージェンシースイッチを押下することにより誤操作防止機能を解除することができる。
【００３０】
図３に、エリア情報Ａの概念図を示す。
エリア情報Ａ１は、複数の位置情報ａ１又はａ２が記憶されており、位置情報ａ１によって定められた範囲（設定３）、位置情報ａ２によって定められた範囲（設定２）、その他の範囲（設定１）により構成される。
【００３１】
ユーザが、例えば設定１の範囲から設定２の範囲に進入した場合、誤操作防止機能の解除条件は自動的に設定２に切り替わる。なお、この際の動作については後述する。
【００３２】
また、エリア情報Ａ２は、位置情報ａ３から予め定められた距離Ｘを半径とする円形の範囲（設定２）、その他の範囲（設定１）を構成する。
ユーザが位置情報ａ３から距離Ｘの範囲内に進入した場合、エリア情報Ａ１と同様、解除条件は自動的に設定２に切り替わることとなる。
【００３３】
図１に戻り、Ｉ／Ｆ部５は、ＵＳＢ（Universal Serial Bus）等により構成され、外部機器と接続して各種情報の送受信を行う。なお、外部機器には汎用のＰＣ（Personal Computer）等を用いることとしてもよい。Ｉ／Ｆ部５を介して受信した各種情報は、記憶部４に記憶され、又は記憶部４に記憶されていた情報と置き換えられて記憶される。
【００３４】
音声変換部６は、音声情報をアナログ変換又はデジタル変換する。すなわち、音声処理部７から入力される音声情報はアナログ信号であるのでこれをデジタル信号に変換し、制御部３に出力する。また、制御部３から出力されて受信した音声情報はデジタル信号であるのでこれをアナログ信号に変換し、音声処理部７に出力する。
【００３５】
音声処理部７は、マイク８から出力された音声情報（アナログ音声信号）を受信して、これを増幅し、音声変換部６に出力する。また、音声処理部７から出力された音声情報（アナログ音声信号）を受信し、これを増幅してスピーカ９に出力する。
【００３６】
マイク８は、外部から音声を受信し、これをアナログの音声信号として音声処理部７に出力する。
スピーカ９は、音声処理部７から出力されたアナログの音声信号を外部に出力する。
【００３７】
操作部１０は、電源スイッチ、周波数選択スイッチ、周波数調整つまみ、音量つまみ、ＰＴＴ（Push To Talk）等を備えて構成される。ＰＴＴは、他の無線機と通信する際に押下され、ユーザはＰＴＴを押下した状態でマイクを介して音声情報を入力する。
【００３８】
また、操作部１０は、エマージェンシースイッチ１０ａ及び解除条件選択スイッチ１０ｂを備える。
エマージェンシースイッチ１０ａは、周囲に警報を音声出力し、又は基地局Ｂに緊急事態の発生を通知するためのスイッチである。
また、解除条件選択スイッチ１０ｂは、解除条件テーブルＴにある誤操作防止機能の解除条件を切り替え、又は選択するためのスイッチである。
【００３９】
表示部１１は、ＬＣＤ（Liquid Crystal Display）等を備えて構成される。表示部１１は、無線機１００の状態をＬＣＤに表示する。また、操作部１０から出力された操作信号に応じた各種情報を表示する。
【００４０】
無線通信部１２は、送信処理部１２ａ、受信処理部１２ｂ、アンテナＡＮＴ２を備えて構成されており、電波により情報を送受信するための各種処理を行う。
【００４１】
送信処理部１２ａは、ＭＳＫエンコーダ、変調器、増幅回路等から構成される。
ＭＳＫエンコーダは、現在地情報等の送信する情報をＭＳＫ方式による信号に変換する。また、変調器は、変換された信号又は音声情報をＦＳＫ（Frequency Shift Keying）変調する。また、増幅回路は、ＦＳＫ変調された信号を増幅する。
これらの処理により、送信処理部１２ａは、増幅した信号を電波に乗せてアンテナＡＮＴ２を介して送信する。
【００４２】
受信処理部１２ｂは、増幅回路、復調器、ＭＳＫデコーダ等から構成される。
増幅回路は、アンテナＡＮＴ２を介して受信した電波を増幅する。また、復調器は、ＦＳＫ変調を復調する。また、ＭＳＫデコーダは、ＭＳＫ方式で変換された信号を復元する。
これらの処理により、受信処理部１２ｂは、電波に乗って受信された信号から元の音声情報又は現在地情報を復元する。
【００４３】
次に、図４〜図９を参照して、無線機１００の動作について説明する。
図４に、誤動作防止機能の解除条件を設定する際の処理を示す。
ユーザにより解除条件選択スイッチ１０ｂが押下されると、操作部１０は、解除条件の選択に関する操作信号を生成し、生成した操作信号を制御部３に出力する。
【００４４】
制御部３は、操作部１０から出力された操作信号を受信すると（ステップＳ１；ＹＥＳ）、解除条件テーブルＴに定められている解除条件及び現在設定されている解除条件を表示部１１に表示する（ステップＳ２）。
【００４５】
制御部３は、操作部１０から解除条件を変更する操作信号を受信すると（ステップＳ３；ＹＥＳ）、指定された解除条件を現在の解除条件として記憶部４に記憶して（ステップＳ４）、解除条件設定処理を終了する。
【００４６】
図５に、エマージェンシースイッチ１０ａが押下された際の処理を示す。
ユーザによりエマージェンシースイッチ１０ａが押下されると、操作部１０は、押下されたスイッチに応じた操作信号を生成し、生成した操作信号を制御部３に出力する。
【００４７】
制御部３は、操作部１０から出力された操作信号を受信すると（ステップＳ１１；ＹＥＳ）、記憶部４から現在設定されている解除条件を読み出す（ステップＳ１２）。
【００４８】
制御部３は、読み出した解除条件に基づいて、エマージェンシー機能を稼動させるか否か判断する（ステップＳ１３）。
読み出した解除条件が、例えば「５秒以上エマージェンシースイッチが押下された後に解除」、と定められている場合、制御部３はエマージェンシースイッチが押下されてから５秒経過したか否か判断する。
【００４９】
制御部３は、読み出した解除条件を満たすと判断した場合、エマージェンシー機能を稼動させる（ステップＳ１４）。具体的には、緊急事態の通知を無線通信部１２より基地局Ｂに電波送信する。その他にも、例えば警報音をスピーカ９により音声出力して緊急事態を周囲に通報することとしてもよい。
【００５０】
次に、図６を参照して、ＧＰＳを利用した解除条件の設定処理について説明する。なお、前提として、ＧＰＳレシーバ１は一定時間毎にＧＰＳ情報をＧＰＳ衛星から受信し、これをＧＰＳ部２に出力している。また、ＧＰＳ部２は、受信したＧＰＳ情報を現在地情報として制御部３に出力しているものとする。
【００５１】
制御部３は、ＧＰＳ部２から出力された現在地情報を受信すると（ステップＳ２１；ＹＥＳ）、受信した現在地情報を記憶部４に記憶させ、現在地情報を更新する（ステップＳ２２）。現在地情報を更新した後、制御部３は、現在地情報を基地局Ｂに通知する（ステップＳ２３）。
【００５２】
制御部３は、記憶部４からエリア情報Ａを読み出し、読み出したエリア情報Ａと更新した現在地情報とを比較する（ステップＳ２４）。そして、比較した結果、誤操作防止機能の解除条件を変更するか否か判断する（ステップＳ２５）。
【００５３】
解除条件を変更する場合（ステップＳ２５；ＹＥＳ）、制御部３は、変更した解除条件を現在の解除条件として記憶部４に記憶させ（ステップＳ２６）、ＧＰＳを利用した解除条件設定処理を終了する。
【００５４】
次に、図７を参照して、遠隔操作による解除条件設定処理について説明する。
基地局Ｂは無線機１００に各種指示情報を送信することができ、無線機１００は受信した各種指示情報に応じた処理が実行可能である。つまり、基地局Ｂは、無線機１００における一定の処理動作について遠隔操作を行うことができる。以下、基地局Ｂから各種指示情報を受信した際に、無線機１００が行う処理について説明する。
【００５５】
制御部３は、無線通信部を介して基地局Ｂから各種指示情報を受信すると（ステップＳ３１；ＹＥＳ）、受信した指示情報に解除条件についての指示情報が含まれるか否かを判断する（ステップＳ３２）。
【００５６】
解除条件についての指示情報が含まれない場合（ステップＳ３２；ＮＯ）、制御部３は、受信した指示情報に応じた各種処理を実行する（ステップＳ３３）。
【００５７】
解除条件についての指示情報が含まれる場合（ステップＳ３２；ＹＥＳ）、制御部３は更に、解除条件の変更を指示する指示情報が含まれるか否かを判断する（ステップＳ３４）。
【００５８】
解除条件の変更を指示する指示情報が含まれる場合（ステップＳ３４；ＹＥＳ）、制御部３は、指示情報に従って解除条件を変更する（ステップＳ３５）。
【００５９】
例えば、基地局Ｂから受信した指示情報が解除条件を設定１とする指示情報である場合、制御部３は解除条件テーブルＴから設定１の解除条件を読み出す。そして、読み出した設定１の解除条件を現在の解除条件として記憶部４に記憶させる。
【００６０】
また、制御部３は、基地局Ｂから受信した指示情報に手動変更を禁止又は許可する指示情報が含まれるか否か判断する（ステップＳ３６）。
【００６１】
手動変更を禁止又は許可する指示情報が含まれる場合（ステップＳ３６；ＹＥＳ）、制御部３は、手動変更を禁止又は許可する設定情報を記憶部４に記憶させる（ステップＳ３７）。以下、この設定情報を「手動変更禁止／許可情報」ということとし、後述の図８について説明する。
【００６２】
ここで、図８を参照して、手動変更禁止／許可情報に基づく解除条件設定処理について説明する。
ユーザにより解除条件選択スイッチ１０ｂが押下されると、操作部１０は、押下されたスイッチに応じた操作信号を生成し、生成した操作信号を制御部３に出力する。
【００６３】
制御部３は、操作部１０から出力された操作信号を受信すると（ステップＳ４１；ＹＥＳ）、手動変更禁止／許可情報を記憶部４から読み出して、手動変更が許可されているか否か判断する（ステップＳ４２）。
【００６４】
手動変更が許可されていない場合（ステップＳ４２；ＮＯ）、制御部３は、解除条件選択スイッチ１０ｂが押下されたことにより生成された操作信号をキャンセルする。また、手動変更禁止の旨の通知を表示部１１に表示することとしてもよい。
【００６５】
一方、手動変更が許可されている場合（ステップＳ４２；ＹＥＳ）、制御部３は、解除条件テーブルＴに定められている解除条件及び現在設定されている解除条件を表示部１１に表示する（ステップＳ４３）。
【００６６】
制御部３は、操作部１０から解除条件を変更する操作信号を更に受信すると（ステップＳ４４；ＹＥＳ）、指定された解除条件を現在の解除条件として記憶部４に記憶して（ステップＳ４５）、手動変更禁止／許可情報に基づく解除条件設定処理を終了する。
【００６７】
このように、制御部３は、ユーザにより解除条件選択スイッチ１０ｂが押下された場合、自動変更禁止／許可情報に基づいて、解除条件の手動変更を禁止又は許可する判断を行うこととなる。
【００６８】
図７に戻り、制御部３は、基地局Ｂから受信した指示情報にＧＰＳを利用した解除条件設定処理（図６参照）を禁止又は許可する指示情報が含まれるか否か判断する（ステップＳ３８）。
【００６９】
ＧＰＳを利用した解除条件設定処理を禁止又は許可する指示情報が含まれる場合（ステップＳ３８；ＹＥＳ）、制御部３は、この処理について禁止又は許可する設定情報を記憶部４に記憶させる（ステップＳ３９）。この設定情報を以下、「自動変更禁止／許可情報」ということとし、後述の図９について説明する。
【００７０】
ここで、図９を参照して、自動変更禁止／許可情報に基づく解除条件設定処理について説明する。
制御部３は、ＧＰＳ部２から出力された現在地情報を受信すると（ステップＳ５１；ＹＥＳ）、受信した現在地情報を記憶部４に記憶させ、現在地情報を更新する（ステップＳ５２）。現在地情報を更新した後、制御部３は、現在地情報を基地局Ｂに通知する（ステップＳ５３）。
【００７１】
制御部３は、自動変更禁止／許可情報を記憶部４から読み出して、ＧＰＳを利用した自動変更が許可されているか否か判断する（ステップＳ５４）。
【００７２】
自動変更が許可されている場合（ステップＳ５４；ＹＥＳ）、制御部３は、記憶部４からエリア情報Ａを読み出し、読み出したエリア情報Ａと更新した現在地情報とを比較する（ステップＳ５５）。そして、比較した結果、誤操作防止機能の解除条件を変更するか否か判断する（ステップＳ５６）。
【００７３】
解除条件を変更する場合（ステップＳ５６；ＹＥＳ）、制御部３は、変更した解除条件を現在の解除条件として記憶部４に記憶させ（ステップＳ５７）、自動変更禁止／許可情報に基づく解除条件設定処理を終了する。
【００７４】
このように、制御部３は、例えばユーザがエリア情報Ａ１の設定２（図３参照）に進入した場合、自動変更禁止／許可情報に基づいて、解除条件の変更を禁止又は許可する判断を行うこととなる。
【００７５】
制御部３は、基地局Ｂから送信された指示情報について、上記説明してきた各種処理を実行した後、遠隔操作による解除条件設定処理を終了する。
【００７６】
以上のように、本実施形態によれば、誤操作防止機能の解除条件を簡易に選択し、決定することができる。無線機１００のユーザは、解除条件を変更したい場合に外部機器等により予め変更しておく必要がない。よって、作業効率の向上を図ることができる。
【００７７】
また、解除条件テーブルＴに定められている解除条件は、ユーザがエマージェンシースイッチ１０ａを押下してからエマージェンシー機能が稼動するまでの時間について定めたものである。よって、事件や事故が多発する現場で無線機を使用するような場合、エマージェンシースイッチ１０ａを押下してからエマージェンシー機能が稼動するまでの時間を簡易に選択し、決定することができ、１秒を争う緊急事態に遭遇した場合には、被害の拡大を防止できる。
【００７８】
また、無線機１００に操作部１０を備えることで、ユーザは所望の解除条件を無線機１００の使用場面に応じて任意に選択することができる。
【００７９】
また、ＧＰＳ部２から取得した現在地情報と記憶部４に予め記憶されているエリア情報Ａとを比較して、ユーザの現在地によって自動的に解除条件を変更することとしてもよい。これにより、ユーザが手動で解除条件を選択、決定する手間を省くことができる。
【００８０】
また、基地局Ｂからの遠隔操作により、解除条件を選択、決定することができる。これにより、ユーザが手動で解除条件を選択、決定する手間を省くとともに、予め定められたエリア情報Ａ以外の新たなエリアにユーザが進入するような場合であっても、適切な解除条件を選択、決定しておくことができる。
【００８１】
また、基地局Ｂからの遠隔操作により、ユーザが解除条件を手動で変更することを禁止とすることができる。これにより、基地局Ｂから無線機１００の解除条件を常に管理することができる。
【００８２】
また、無線機１００がＧＰＳを利用して解除条件を自動で変更することを禁止することができる。これにより、基地局Ｂから無線機１００の解除条件を常に管理することができる。
【図面の簡単な説明】
【００８３】
【図１】無線機の機能構成図である。
【図２】解除条件テーブルの概念図である。
【図３】エリア情報の概念図である。
【図４】解除条件設定処理のフロー図である。
【図５】エマージェンシースイッチ押下時の処理のフロー図である。
【図６】ＧＰＳを利用した解除条件設定処理のフロー図である。
【図７】遠隔操作による解除条件設定処理のフロー図である。
【図８】手動変更禁止／許可情報に基づく解除条件設定処理のフロー図である。
【図９】自動変更禁止／許可情報に基づく解除条件設定処理のフロー図である。
【図１０】誤操作防止機能を説明する概念図である。
【符号の説明】
【００８４】
１００  無線機
１      ＧＰＳレシーバ
２      ＧＰＳ部
３      制御部
４      記憶部
５      Ｉ／Ｆ部
６      音声変換部
７      音声処理部
８      マイク
９      スピーカ
１０    操作部
１０ａ  解除条件選択スイッチ
１０ｂ  エマージェンシースイッチ
１１    表示部
１２    無線通信部
Ｔ      解除条件テーブル
Ａ      エリア情報  
【図１】
2009147507.tif 000003
【図２】
2009147507.tif 000004
【図３】
2009147507.tif 000005
【図４】
2009147507.tif 000006
【図５】
2009147507.tif 000007
【図６】
2009147507.tif 000008
【図７】
2009147507.tif 000009
【図８】
2009147507.tif 000010
【図９】
2009147507.tif 000011
【図１０】
2009147507.tif 000012